(57)【要約】【課題】高さ調整のみ可能な単機能型のランナーユニットと、前後調整も可能な多機能型のランナーユニットにおいて、主要構造体であるランナー台を共通使用できるようにして、ランナーユニットの全体コストを削減する。【解決手段】単機能型のランナーユニットにおけるランナー台１２をホルダー８０に連結する。多機能型のランナーユニットにおけるランナー台１２を、ホルダー９に設けた調整ハウジング１０に連結する。ホルダー８０に設けられる装着部８４と、調整ハウジング１０に設けられる装着部３３とを共通の構造に形成して、ランナー台１２を、ホルダー８０と調整ハウジング１０とに共通して装着できるようにする。ホルダー９と調整ハウジング１０との間に、戸パネル３の前後位置を調整する前後調整機構を設ける。【選択図】図１
2010255273.tif 000002
【特許請求の範囲】
【請求項１】
ガイドレール（１）で移行案内されるランナー本体（７）と、戸パネル（３）に装着されるホルダー（９）と、ホルダー（９）に組み付けられる調整ハウジング（１０）と、調整ハウジング（１０）に組み付けられるランナー台（１２）とを含み、ランナー本体（７）とランナー台（１２）とが連結体（１３）を介して連結してあるランナーユニットであって、
ホルダー（９）と調整ハウジング（１０）との間に、戸パネル（１）の前後位置を調整する前後調整機構が設けてあることを特徴とするランナーユニット。
【請求項２】
ホルダー（９）に調整ハウジング（１０）と、調整ブロック（１１）とが組み付けられており、
調整ハウジング（１０）は、ホルダー（９）に対して前後変位可能に支持されており、
調整ブロック（１１）に組み付けた前後調整機構で調整ハウジング（１０）を前後に調整できる請求項１に記載のランナーユニット。
【請求項３】
前後調整機構が、中心軸（３４）を介して前後揺動可能に支持される調整ハウジング（１０）と、調整ブロック（１１）で回転のみ自在に支持される前後調整ボルト（７０）と、前後調整ボルト（７０）と噛み合う雌ねじ体（７１）と、雌ねじ体（７１）の左右変位を調整ハウジング（１０）に伝える操作体（７２）とで構成されており、
前記中心軸（３４）が、前後調整ボルト（７０）の中心軸線の前後いずれかに偏寄する状態で配置してある請求項１または２に記載のランナーユニット。
【請求項４】
ランナー台（１２）に戸パネル（１）の上下位置を調整する高さ調整機構が組み込んである請求項１、２または３に記載のランナーユニット。
【請求項５】
ホルダー（９）に装着した調整ハウジング（１０）の下部に調整ブロック（１１）が配置されており、
調整ハウジング（１０）の揺動先端寄りの下面に設けた揺動ボス（３５）が、調整ブロック（１１）に設けたガイド溝（６３）で揺動可能に案内支持してある請求項３または４に記載のランナーユニット。
【請求項６】
ガイドレール（１）で移行案内されるランナー本体（７）と、戸パネル（３）に装着されるホルダー（９）と、ホルダー（９）に組み付けられるランナー台（１２）とを含み、ランナー本体（７）とランナー台（１２）とが連結体（１３）を介して連結してあるランナーユニットであって、
調整機能を備えていない無機能型、および高さ調整機能のみを備えた単機能型のランナーユニットにおいては、ランナー台（１２）がホルダー（８０）に連結されており、
高さ調整機能と前後調整機能を備えた多機能型のランナーユニットにおいては、ランナー台（１２）がホルダー（９）に設けた調整ハウジング（１０）に連結されており、
無機能型および単機能型のランナーユニットのホルダー（８０）に設けられる装着部（８４）と、多機能型のランナーユニットの調整ハウジング（１０）に設けられる装着部（３３）とが共通の構造に形成されており、
ランナー台（１２）は、単機能型のランナーユニットのホルダー（８０）と、多機能型のランナーユニットの調整ハウジング（１０）とに共通して装着でき、
多機能型のランナーユニットのホルダー（９）と調整ハウジング（１０）との間に、戸パネル（１）の前後位置を調整する前後調整機構が設けてあるランナーユニット。
【請求項７】
多機能型のランナーユニットのホルダー（９）に、ランナー台（１２）を連結するための調整ハウジング（１０）と、調整ブロック（１１）とが組み付けられており、
調整ハウジング（１０）は、ホルダー（９）に対して前後変位可能に支持されており、
調整ブロック（１１）に組み付けた前後調整機構で調整ハウジング（１０）を前後に調整できる請求項６に記載のランナーユニット。
【請求項８】
前後調整機構が、中心軸（３４）を介して前後揺動可能に支持される調整ハウジング（１０）と、調整ブロック（１１）で回転のみ自在に支持される前後調整ボルト（７０）と、前後調整ボルト（７０）と噛み合う雌ねじ体（７１）と、雌ねじ体（７１）の左右変位を調整ハウジング（１０）に伝える操作体（７２）とで構成されており、
前記中心軸（３４）が、前後調整ボルト（７０）の中心軸線の前後いずれかに偏寄する状態で配置してある請求項６または７に記載のランナーユニット。
【発明の詳細な説明】
【技術分野】
【０００１】
本発明は、引戸や折戸などに適用されるランナーユニットに関する。ランナーユニットは、ガイドレールで移行案内されるランナー本体と、戸パネルに固定されるホルダーと、ホルダーに連結されるランナー台などで構成してある。
【背景技術】
【０００２】
この種のランナーユニットには、調整機構を一切備えていない無機能型と、ランナー台の内部に高さ調整機構と前後調整機構のいずれかひとつを備えている単機能型と、ランナー台の内部に高さ調整機構や前後調整機構などの２以上の調整機構を備えている多機能型とがある。主として折戸に適用されるランナーユニットは、ランナー台の内部に高さ調整機構のみを備えており、この種の単機能型のランナーユニットは例えば特許文献１に公知である。高さ調整機構は、直交状に配置される一対の歯車と、駆動側の歯車を回転操作する操作軸と、受動側の歯車と噛み合うねじ軸などで構成してあり、操作軸を調整操作することにより、戸パネルの高さを上下に調整できる。ランナー台は、戸パネルに埋設したホルダーに嵌め込み装着されてロック機構で分離不能にロック保持してある。このようなランナー台の連結構造を採用することにより、戸パネルの吊り込み作業をより少ない手間で簡便に行なえる。
【０００３】
主に引戸に適用されるランナーユニットは、ランナー台の内部に高さ調整機構と前後調整機構を備えており、この種の多機能型のランナーユニットは例えば特許文献２に公知である。そこでは、高さ調整ボルトと、同ボルトで揺動操作される調整レバーなどで高さ調整機構を構成しており、高さ調整ボルトを調整操作すると、調整レバーが上下に揺動して戸パネルの高さを上下に調整できる。また、前後調整ボルトと、同ボルトで左右にスライド操作される調整ブロックなどで前後調整機構を構成している。調整ブロックにはカム溝が形成してあり、調整ブロックの左右スライド動作をカム溝で前後動作に変換している。
【０００４】
本発明に係るランナーユニットにおいては、偏心ピンの回りに揺動できる調整ハウジングを、前後調整ボルトで揺動操作して戸パネルの前後調整を行なうが、同様の前後調整機構は特許文献３に公知である。このランナーユニットは、特許文献２のランナーユニットと同じ多機能型のランナーユニットとして構成してある。また、ロック機構を含むランナー台の連結構造も備えており、特許文献１のランナーユニットと同様に、戸パネルの吊り込み作業をより少ない手間で簡便に行なえる。
【０００５】
本発明に係るランナーユニットのロック構造に関して、特許文献４のランナーユニットのロック構造が公知である。そこでは、ランナー台と一体に設けられるロック腕と、ホルダーの対向壁に形成されてロック腕が落ち込み係合するロック凹部と、ロック腕をロック解除操作する解除レバーなどでロック構造を構成している。
【先行技術文献】
【特許文献】
【０００６】
【特許文献１】特開平１０−０７２９６７号公報（段落番号００２７、図１）
【特許文献２】特開平０９−２７９９３４号公報（段落番号００２６、００４０、図２）
【特許文献３】特許第４０４７９１６号公報（段落番号００２７、図１）
【特許文献４】特開２００８−２５５７５５号公報（段落番号００４４、図１０）
【発明の概要】
【発明が解決しようとする課題】
【０００７】
上記の先行技術文献から理解できるように、近年の吊車型のランナーユニットは、高さ調整機構に加えて前後調整機構を備えており、さらに戸パネルの吊り込み作業を容易化する連結構造やロック構造を備えている。そのため、ランナーユニットの全体構造が複雑化し、構成部品点数が増えるのに比例して大形化し、製造コストが嵩む傾向にある。その一方で、生産者に対してはランナーユニットを低コスト化することが強く求められており、様々なコスト削減対策が行なわれている。例えば、人件費が少なくて済む国や地域で部品の加工や組立を行なって、ランナーユニットの低コスト化を実現している。しかし、この種の対策は当業界において一般化し常識化されて、ランナーユニットを低コスト化する余地が殆どない限界状態にあると言われており、さらなるコスト低下のための研究開発が望まれている。
【０００８】
単機能型のランナーユニットは、高さ調整機能あるいは前後調整機能のみを備えていればよいのでランナー台の構造を簡素化し小形化できる。しかし、高さ調整機能に加えて前後調整機能を備えている多機能型のランナーユニットは、前後調整機構やロック構造が付加される分だけランナー台の構造が複雑になり、大形化するのを物理的に避けられない。にもかかわらず、単機能型のランナーユニットと同等程度にまで小形化することが、先のコスト低下と併せて強く望まれている。
【０００９】
本発明の目的は、高さ調整機構と前後調整機構とが組み込んであるランナー台に比べて、ランナー台の構造を著しく簡素化してコンパクト化を実現できる、多機能型のランナーユニットを提供することにある。
本発明の目的は、無機能型と単機能型と多機能型のランナーユニットにおいて、主要構造体であるランナー台を共通使用できるようにして、全体の製造コストを削減できるランナーユニットを提供することにある。
本発明の目的は、既存のランナー台を利用して無機能型と単機能型と多機能型のランナーユニットを構成でき、既存のランナー台を利用する分だけ製造コストを削減できるランナーユニットを提供することにある。
【課題を解決するための手段】
【００１０】
本発明に係るランナーユニットは、ガイドレール１で移行案内されるランナー本体７と、戸パネル３に装着されるホルダー９と、ホルダー９に組み付けられる調整ハウジング１０と、調整ハウジング１０に組み付けられるランナー台１２とを含む。ランナー本体７とランナー台１２とは連結体１３を介して連結してある。この構成において、ホルダー９と調整ハウジング１０との間に、戸パネル３の前後位置を調整する前後調整機構が設けてあることを特徴とするランナーユニット。
【００１１】
ホルダー９に調整ハウジング１０と、調整ブロック１１とを組み付ける。調整ハウジング１０は、ホルダー９に対して前後変位可能に支持する。調整ブロック１１に組み付けた前後調整機構で調整ハウジング１０を前後に調整できるようにする。ここで言う前後動可能とは、前後方向の平行移動と前後揺動を含むこととする。
【００１２】
前後調整機構は、中心軸３４を介して前後揺動可能に支持される調整ハウジング１０と、調整ブロック１１で回転のみ自在に支持される前後調整ボルト７０と、前後調整ボルト７０と噛み合う雌ねじ体７１と、雌ねじ体７１の左右変位を調整ハウジング１０に伝える操作体７２とで構成する。前記中心軸３４は、前後調整ボルト７０の中心軸線の前後いずれかに偏寄する状態で配置する。
【００１３】
ランナー台１２に戸パネル３の上下位置を調整する高さ調整機構を組み込む。
【００１４】
ホルダー９に装着した調整ハウジング１０の下部に調整ブロック１１を配置する。調整ハウジング１０の揺動先端寄りの下面に設けた揺動ボス３５を、調整ブロック１１に設けたガイド溝６３で揺動可能に案内支持する。
【００１５】
本発明に係るランナーユニットは、上記の実施形態以外に、無機能型と単機能型と多機能型のランナーユニットにおいて、主要構造体であるランナー台を共通使用する形態を採ることができる。
その場合のランナーユニットは、ガイドレール１で移行案内されるランナー本体７と、戸パネル３に装着されるホルダー９と、ホルダー９に組み付けられるランナー台１２とを含み、ランナー本体７とランナー台１２とが連結体１３を介して連結してある。調整機能を備えていない無機能型、あるいは高さ調整機能のみを備えた単機能型のランナーユニットにおいては、ランナー台１２をホルダー８０に装着する。高さ調整機能と前後調整機能を備えた多機能型のランナーユニットにおいては、ランナー台１２をホルダー９に設けた調整ハウジング１０に装着する。無機能型および単機能型のランナーユニットのホルダー８０に設けられる装着部８４と、多機能型のランナーユニットの調整ハウジング１０に設けられる装着部３３とを共通の構造に形成する。以上により、ランナー台１２を、無機能型あるいは単機能型のランナーユニットのホルダー８０と、多機能型のランナーユニットの調整ハウジング１０とに共通して装着できるようにする。多機能型のランナーユニットのホルダー９と調整ハウジング１０との間に、戸パネル３の前後位置を調整する前後調整機構を設ける。
【００１６】
多機能型のランナーユニットのホルダー９に、ランナー台１２を連結するための調整ハウジング１０と、調整ブロック１１とを組み付ける。調整ハウジング１０は、ホルダー９に対して前後動可能に支持する。調整ブロック１１に組み付けた前後調整機構で調整ハウジング１０を前後に調整できるようにする。ここで言う前後動可能とは、前後方向の平行移動と前後揺動を含むこととする。
【００１７】
前後調整機構は、中心軸３４を介して前後揺動可能に支持される調整ハウジング１０と、調整ブロック１１で回転のみ自在に支持される前後調整ボルト７０と、前後調整ボルト７０と噛み合う雌ねじ体７１と、雌ねじ体７１の左右変位を調整ハウジング１０に伝える操作体７２とで構成する。中心軸３４は、前後調整ボルト７０の中心軸線の前後いずれかに偏寄する状態で配置する。
【発明の効果】
【００１８】
本発明に係るランナーユニットにおいては、ホルダー９と調整ハウジング１０との間に前後調整機構を設けるので、ランナー台に高さ調整機構と前後調整機構をまとめて組み込む場合に比べて、ランナー台１２の構造を著しく簡素化してコンパクト化を実現できる。また、ランナー台１２に高さ調整機構が組み込んである場合でも、高さ調整機構と前後調整機構とを完全に分離した状態で配置でき、したがって両機構の動作干渉などを考慮する必要もなく設計の自由度を向上できる。さらに、調整ハウジング１０を既存のランナー台１２に対応して構成する場合には、既存のランナー台１２を利用してランナーユニットを構成できるので、既存の成形金型やプレス金型、あるいは既存の製造設備などをそのまま利用してランナー台１２を製造でき、全体として多機能型のランナーユニットを低コスト化できる。本発明に係るランナーユニットは引戸に適用できるのはもちろんのこと、折戸用のランナーユニットとして好適に適用できる。
【００１９】
ホルダー９に調整ハウジング１０と調整ブロック１１とを組み付け、調整ブロック１１に組み付けた前後調整機構で調整ハウジング１０を前後に調整できるようにすると、前後調整機構の大半の構成部品を調整ブロック１１に組み付けてユニット部品化できる。したがって、ホルダー９と調整ハウジング１０との間に前後調整機構を設ける場合に比べて、前後調整機構および調整ブロック１１のホルダー９に対する組み付けの手間を省いて、ランナーユニットの製造コストを減少できる。
【００２０】
前後揺動可能な調整ハウジング１０と、調整ブロック１１に軸支される前後調整ボルト７０と、同ボルト７０に噛み合う雌ねじ体７１と、雌ねじ体７１の左右変位を前後変位に変換する操作体７２などで前後調整機構を構成すると、戸側ユニット（ホルダー９、調整ハウジング１０、調整ブロック１１など）をよりコンパクト化できる。例えば、調整ハウジング１０を前後へ平行移動する場合には、中立位置において調整ハウジング１０が占めるスペースの前後それぞれに、調整代分のスペースを確保する必要がある。しかし、先のように調整ハウジング１０を偏心位置に設けたピン３４の回りに前後揺動して、戸パネル３の前後位置を調整すると、前後揺動する調整ハウジング１０が占有するスペースを最小限化でき、これに伴ないホルダー９および調整ハウジング１０をコンパクト化できる。
【００２１】
ランナー台１２に高さ調整機構が組み込んであると、高さ調整ボルト５４および前後調整ボルト７０の調整操作を、ホルダー９の外側方において集約した状態で容易に行なえ、例えば施工時の戸パネル３の高さ調整および前後調整を一括して簡便に行なうことができる。また、ランナー本体に高さ調整機構が組み込んである場合に比べて、ランナー本体７とランナー台１２との組み合わせを、ガイドレール１の構造の違いなどに応じて自由に選定できる利点もある。
【００２２】
調整ハウジング１０の下部に調整ブロック１１を配置し、調整ハウジング１０に設けた揺動ボス３５を調整ブロック１１に設けたガイド溝６３で揺動可能に案内支持すると、前後揺動する調整ハウジング１０をガイド溝６３に沿って移行案内して、調整ハウジング１０が不必要に遊動するのを規制できる。したがって、調整ハウジング１０をより安定した状態で揺動変位させて、前後調整ボルト７０による調整操作と、調整ハウジング１０の調整結果とのずれを解消できる。また、調整ハウジング１０の下部に調整ブロック１１を配置することにより、両者１０・１１をホルダー９に対して無駄のない状態で配置して、戸側ユニット（ホルダー９、調整ハウジング１０、調整ブロック１１など）をよりコンパクト化できる。
【００２３】
無機能型と単機能型と多機能型のランナーユニットにおいて、主要構造体であるランナー台を共通使用する本発明のランナーユニットにおいては、多機能型のランナーユニットの調整ハウジング１０に設けられる装着部３３と、無機能型あるいは単機能型のランナーユニットのホルダー８０に設けられる装着部８４とを共通の構造に形成して、ランナー台１２をホルダー８０と調整ハウジング１０とに共通して装着できるようにした。さらに、多機能型のランナーユニットのホルダー９と調整ハウジング１０との間に、戸パネル３の前後位置を調整する前後調整機構を設けるようにした。
【００２４】
上記のように、本発明においてはホルダー９と調整ハウジング１０との間に前後調整機構を設けて、高さ調整機能と前後調整機能を備えた多機能型のランナーユニットを構成するので、無機能型および単機能型と多機能型のランナーユニットにおいて、主要構造体であるランナー台１２をホルダー８０および調整ハウジング１０に共通して装着できる。したがって、ランナー台１２は、無機能型および単機能型と多機能型で必要とする合計数量をまとめて量産することができ、その量産効果によってランナーユニットの全体コストを削減できる。さらに、ランナー台１２に加えてランナー本体７を共通使用する場合には、ランナー本体７の量産効果が加わるので、ランナーユニットの全体コストをさらに削減できる。
【００２５】
また、既存のランナー本体７やランナー台１２を利用して、無機能型および単機能型と多機能型のランナーユニットを構成する場合には、既存の成形金型やプレス金型、あるいは既存の製造設備などをそのまま利用して構成部品を形成できるので、新たな設備投資をする必要もなくランナーユニットをさらに低コストで製造できることとなる。
【００２６】
多機能型のランナーユニットのホルダー９に調整ハウジング１０と調整ブロック１１とを組み付け、調整ブロック１１に組み付けた前後調整機構で調整ハウジング１０を前後に調整できるようにすると、前後調整機構の大半の構成部品を調整ブロック１１に組み付けてユニット部品化できる。したがって、前後調整機構および調整ブロック１１のホルダー９に対する組み付けの手間を省いて、ランナーユニットの製造コストを減少できる。また、調整ハウジング１０と調整ブロック１１との間に前後調整機構を設けるので、高さ調整機構との動作干渉などを考慮する必要もなく、前後調整機構を独立した状態で構成することができる。したがって、ランナー台に高さ調整機構と前後調整機構を組み込む場合に比べて、ランナー台１２、ランナー台１２に組み付けられる高さ調整機構、および前後調整機構の設計の自由度を向上できる。
【００２７】
前後揺動可能な調整ハウジング１０と、調整ブロック１１に軸支される前後調整ボルト７０と、同ボルト７０に噛み合う雌ねじ体７１と、雌ねじ体７１の左右変位を前後変位に変換する操作体７２などで前後調整機構を構成すると、戸側ユニット（ホルダー９、調整ハウジング１０、調整ブロック１１など）をよりコンパクト化できる。それは、調整ハウジング１０を偏心位置に設けたピン３４の回りに前後揺動して、戸パネル３の前後位置を調整するので、前後調整した状態において調整ハウジング１０が占有するスペースを最小限化して、ホルダー９および調整ハウジング１０をコンパクト化できるからである。例えば、調整ハウジング１０を前後へ平行移動する場合には、中立位置において調整ハウジング１０が占めるスペースの前後それぞれに、調整代分のスペースを確保する必要があるが、前後揺動する調整ハウジング１０が必要とするスペースは、先のスペースに比べてより少なくて済むからである。
【図面の簡単な説明】
【００２８】
【図１】ランナー台とホルダーを分離した状態の一部破断正面図である。
【図２】引戸の正面図である。
【図３】ガイドレールを破断した引戸の側面図である。
【図４】調整ハウジングと前後調整機構の分解斜視図である。
【図５】戸パネルに装着したランナーユニットの縦断正面図である。
【図６】戸パネルに装着したランナーユニットの縦断側面図である。
【図７】（ａ）〜（ｃ）は、前後調整機構の動作説明図である。
【図８】単機能型ランナーユニットの一部を破断した正面図である。
【図９】前後調整機構の別の実施例を示す縦断正面図である。
【図１０】図９におけるＹ−Ｙ線断面図である。
【発明を実施するための形態】
【００２９】
（実施例）  図１ないし図８は本発明に係る吊車型のランナーユニットの実施例を示す。図２において引戸は、開口枠の上枠に固定されるガイドレール１と、このレール１に沿って引き違い開閉される左右一対の戸パネル３・３と、各戸パネル３・３とガイドレール１との間に組み込まれるランナーユニットと、床面に設けられて各戸パネル３・３の前後方向の振れを規制する振止具４などで構成してある。各戸パネル３・３には、それぞれ把手５が設けてある。ガイドレール１は、下向きに開口する断面がＣ字状のアルミニウム条材からなり、その開口面の前後にレール部１ａが設けてある（図３参照）。ランナーユニットには多機能型と単機能型と無機能型との３種があるが、まず多機能型のランナーユニットについてその構造を説明する。
【００３０】
図１において多機能型のランナーユニットは、ガイドレール１で左右方向へ走行案内されるランナー本体７と、戸パネル３の左右上隅の装着溝８に埋設固定されるホルダー９と、ホルダー９の内部に組み付けられる調整ハウジング１０、および調整ブロック１１と、調整ハウジング１０を介してホルダー９に連結されるランナー台１２などで構成する。ランナー本体７とランナー台１２とは、丸軸からなるランナー軸（連結体）１３で相対回動可能に連結してある。装着溝８は、戸パネル３の外側面と上面の両方に向かって開口してある。
【００３１】
ランナー本体７は、プラスチック成形品からなる左右横長の走行ブロック１６と、走行ブロック１６の左右に前後一対ずつ配置される４個のローラー１７と、これらのローラー１７を軸支するローラー軸１８などで構成してある。走行ブロック１６には、その中央部分を上下に貫通する状態で先のランナー軸１３が連結してある。ランナー軸１３を含むランナー本体７は既存の製品であり、後述する単機能型のランナーユニットにおいても共通して使用される。
【００３２】
図４においてホルダー９は、水平の上壁２１と、上壁２１の内奥端に連続する垂直の内奥壁２２と、上壁２１の外側方端の前後に連続する前後壁２３・２３を一体に備えたダイキャスト成形品からなる。上壁２１にはランナー軸１３を組むための組付溝２４と、調整ハウジング１０のピン３４を軸支するピン穴２５とが形成してある。組付溝２４は、上壁２１の外側方の端から内奥方へ向かって左右横長に形成してある。内奥壁２２の上下には、装着溝８に差し込み装着したホルダー９を戸パネル３に固定するビス２６用の挿通穴が形成してある。また、前後壁２３の対向面の下部には、調整ブロック１１を抜け止め保持する逆Ｌ字状の一対の抜止爪２７が形成してある。
【００３３】
調整ハウジング１０は、上下壁３０・３１と前後壁３２・３２とを一体に備えた、中空枠状のダイキャスト成形品からなり、その内部にランナー台１２を差し込み装着するための装着部３３を備えている。上壁３０および下壁３１の上下面の外側方寄りには、調整ハウジング１０の揺動中心となるピン（中心軸）３４が一体に形成してあり、下壁３１の内奥端寄りには揺動ボス３５が一体に形成してある。ピン３４は、上壁３０の前後中央より前側に偏寄した位置に形成してある。前後壁３２・３２の外側方寄りには、ロック凹部３６と位置決め溝３７とが上下に隣接する状態で形成してある。さらに、下壁３１の内奥寄りに、後述する操作体７２を連結する連結穴３８が前後に長い長円状に形成してある。ロック凹部３６に隣接してロック片４７の乗り上がりを案内するガイド面３９が形成してある。上壁３０には、先に説明した組付溝２４と同様の逃げ溝４０が形成してある。
【００３４】
図１においてランナー台１２は、前後面および外側方が開口する上区室と、下面が開口する下区室とを有するプラスチック成形品からなり、上区室の内奥にランナー軸１３を軸支するボス４２を有し、このボス４２の上区室側の周面にロック腕４３が一体に形成してある。上区室の外側方には、ロック腕４３をロック解除操作するＬ字状の解除レバー４４が、レバーピン４５を中心にして上下揺動可能に組み付けてある。ランナー台１２の前後面には、先の位置決め溝３７と係合する位置決めボス４６が突設してある。下区室の内部には、戸パネル３の上下位置を調整する高さ調整機構が組み込んである。高さ調整機構を含むランナー台１２は既存の製品であり、後述する単機能型のランナーユニットにおいても共通して使用される。
【００３５】
調整ハウジング１０の装着部３３に差し込み装着したランナー台１２を分離不能にロック固定するために、調整ハウジング１０とランナー台１２との間にロック構造を設けている。図１においてロック構造は、調整ハウジング１０の前後壁３２に設けたロック凹部３６と、ランナー台１２に設けたロック腕４３と、Ｌ字状の解除レバー４４とで構成する。ロック腕４３は、自己の弾性でロック付勢されており、その先端にはロック凹部３６に落ち込み係合するロック片４７と、解除レバー４４を押圧付勢する押圧片４８が設けてある。解除レバー４４は、全体が調整ハウジング１０の外側面の外郭線の内部に入り込む待機位置と、その操作腕４９が調整ハウジング１０の外側面の外方へ露出するロック解除位置との間を往復揺動できる。
【００３６】
図５に示すように高さ調整機構は、ランナー台１２で揺動ピン５１を介して上下揺動可能に支持される逆Ｌ字状の調整レバー５２と、調整レバー５２に組み付けた板ナット５３を左右に変位操作する高さ調整ボルト５４と、板面にＵ字状の溝が形成してある抜止め板５５などで構成する。調整レバー５２の操作端５６は、ランナー軸１３の下端に設けたフランジ部１３ａを受け止めている。したがって、高さ調整ボルト５４で板ナット５３を介して調整レバー５２を揺動操作することにより、ランナー台１２とランナー軸１３の相対位置を上下に変更して、戸パネル３の上下位置を調整できる。高さ調整機構が組み込まれたランナー台１２は、ランナー軸１３を介してランナー本体７と一体化してある。
【００３７】
図４において調整ブロック１１は、左右に長い断面が逆かまぼこ形のダイキャスト成形品からなり、ブロック部分に長方形状の係合溝６０と、ピン穴６１と、支持穴６２と、ガイド溝６３とが、それぞれ上下貫通状に形成してある。また、調整ブロック１１の外側端面から支持穴６２にわたって、前後調整ボルト７０用の挿通穴６４が横向きに形成してある。ピン穴６１は、ホルダー９に設けたピン穴２５に対応して形成してあり、挿通穴６４の中心軸線より前側に設けてある。支持穴６２は、後述する操作体７２を支持するために設けてあり、前後調整時の操作体７２の揺動変位を吸収するために、前後長さに比べて左右長さが僅かに大きな長円形に形成してある。ガイド溝６３は、ピン穴６１と同心状の部分円弧溝で形成してあり、調整ハウジング１０が前後調整機構で調整操作されるときに揺動ボス３５を揺動案内する。これにより調整ハウジング１０をより安定した状態で揺動変位できる。
【００３８】
ホルダー９と調整ハウジング１０との間、より詳しくはホルダー９に固定した調整ブロック１１と調整ハウジング１０との間に、戸パネル３の前後位置を調整する前後調整機構を設けている。図５において前後調整機構は、ピン３４を中心にして前後揺動する調整ハウジング１０と、調整ブロック１１に組み付けられる前後調整ボルト（前後調整体）７０と、前後調整ボルト７０のねじ軸と噛み合う板ナット（雌ねじ体）７１と、板ナット７１の変位を調整ハウジング１０に伝える操作体７２などで構成する。操作体７２は、断面が円形の軸部７３と、軸部７３の上面の偏心位置に突設される連結ピン７４とを一体に備えたプラスチック成形品からなる。軸部７３には前後調整ボルト７０用の挿通穴７５が左右貫通状に形成され、さらに、装填溝７６が下向きに開口する状態で形成してある。装填溝７６に板ナット７１が装填される。
【００３９】
軸部７３に板ナット７１を装填した状態の操作体７２を、調整ブロック１１の支持穴６２に嵌め込み、その状態で前後調整ボルト７０のねじ軸を挿通穴７５を介して板ナット７１のねじ穴にねじ込むことにより、前後調整ボルト７０と板ナット７１と操作体７２の三者を調整ブロック１１と一体化できる。
【００４０】
調整ハウジング１０と、前後調整構造が組まれた調整ブロック１１とは、ホルダー９の内部に組み付けられて一体化してある。詳しくは、調整ハウジング１０の上側のピン３４をホルダー９のピン穴２５に差し込み係合し、さらに調整ブロック１１のピン穴６１を調整ブロック１１の下側のピン３４に係合しながら、ガイド溝６３を揺動ボス３５に係合して、調整ハウジング１０および調整ブロック１１をホルダー９と一体化している。この状態における上下のピン３４の中心位置は、前後調整ボルト７０の中心軸線より前側に偏寄している（図７参照）。
【００４１】
上記の組み付け状態において、調整ハウジング１０はホルダー９で上下のピン３４を中心にして前後揺動可能に支持されている。また、ホルダー９に設けた抜止爪２７は、係合溝６０と係合して調整ブロック１１の左右遊動を規制している。同時に、抜止爪２７は前後調整ボルト７０の首下に設けた周回溝７０ａと係合して、同ボルト７０を抜け止めしている（図５参照）。さらに、操作体７２の連結ピン７４は、調整ハウジング１０の連結穴３８と係合している。図示していないが、上記の組み付け状態は、ホルダー９または調整ブロック１１の一部をかしめ変形することにより維持できる。
【００４２】
図１に示すように、調整ハウジング１０および調整ブロック１１が組み付けられたホルダー９は、装着溝８に装着されてビス２６で戸パネル３に固定される。この状態の調整ハウジング１０の装着部３３に、ランナー台１２を外側方から差し込むことにより、戸パネル３をランナー本体７に吊り込むことができる。調整ハウジング１０に連結したランナー台１２は、図６に示すように装着部３３、および位置決めボス４６と位置決め溝３７とで位置決めされており、さらに、ロック片４７と係合するロック凹部３６によって分離不能にロック保持されている。ランナー本体７に吊り込んだ戸パネル３の上下位置を調整する場合には、ランナー台１２の外側面に露出する高さ調整ボルト５４を回転操作して、ガイドレール１と戸パネル３の上下間隔を調整する。
【００４３】
同様に、戸パネル３の前後位置を調整する場合には、調整ブロック１１の外側面に露出する前後調整ボルト７０を回転操作して、隣接する戸パネル３の前後間隔を調整する。例えば、図７（ｂ）に示すように揺動ボス３５の中心が、前後調整ボルト７０の中心軸線上にある中立位置を基準にして、前後調整ボルト７０をねじ込み方向へ回転操作すると、図７（ａ）に示すように板ナット７１および操作体７２が、支持穴６２の範囲内でボルト頭部の側へ引き寄せられる。これに伴ない、操作体７２の連結ピン７４がピン３４側へ変位した分だけ、調整ハウジング１０は、ピン３４の中心と連結穴３８を最短距離で結ぶように、ピン３４を中心にして反時計回転方向へ揺動する。その結果、ランナー台１２に軸支されたランナー軸１３の中心位置が前後調整ボルト７０の中心軸線より後側へ変位する。
【００４４】
上記の説明は、戸パネル３を固定して考えた場合の動作であるが、ランナー軸１３の中心位置はガイドレール１およびランナー本体７によって固定化されているので、実際には、戸パネル３がガイドレール１に対して前側へ変位することになる。上記の調整動作とは逆に、図７（ｃ）に示すように、前後調整ボルト７０を緩み方向へ回転操作すると、ランナー軸１３の中心位置が前後調整ボルト７０の中心軸線より前側へ変位し、その結果、戸パネル３はガイドレール１に対して後側へ変位する。このようにして、引き違い可能な左右の戸パネル３・３の一方または両方の前後調整を行なうことにより、両パネル３・３の前後間隔を適正なものとすることができる。以上が多機能型のランナーユニットの全容である。
【００４５】
単機能型のランナーユニットにおいては、戸パネル３に埋設されるホルダー８０の構造が、多機能型のランナーユニットを構成するホルダー９とは異なっている。図８に示すように、ホルダー８０は、上下壁８１・８２と前後壁８３・８３とを一体に備えた、中空枠状のダイキャスト成形品からなり、その内部にランナー台１２を差し込み装着するための装着部８４が設けてある。装着部８４は、調整ハウジング１０に設けた装着部３３と実質的に同じ構造になっており、ホルダー８０の全体構造はむしろ調整ハウジング１０とよく似た構造になっている。具体的には、前後壁８３・８３の装着開口寄りには、ロック凹部８５と位置決め溝８６とが上下に隣接する状態で形成してある。さらに、ロック凹部８５に隣接してロック片４７の乗り上がりを案内するガイド面８７が形成してある。ホルダー８０は折戸用の戸パネル９０に設けた装着溝９１に装着されて、内奥壁の上下に設けた挿通穴と、下壁８２に設けた挿通穴に通したビス８８で戸パネル９０に固定される。上壁８１には組付溝８９が形成してある。
【００４６】
上記の状態のホルダー８０の装着部８４に、ランナー台１２を外側方から差し込むことにより、戸パネル９０をランナー本体７に吊り込むことができる。また、位置決めボス４６を位置決め溝８６で位置決めした状態で、ロック片４７をロック凹部８５で係合して、ランナー台１２を分離不能にロック保持できる。ランナー本体７に吊り込んだ戸パネル９０の上下位置を調整する場合には、ランナー台１２の外側面に露出する高さ調整ボルト５４を回転操作して、ガイドレール１と戸パネル９０の上下間隔を調整する。
【００４７】
以上のように、本発明のランナーユニットによれば、単機能型と多機能型のランナーユニットにおいて、主要構造体であるランナー本体７やランナー台１２を共通使用することができるので、ランナー本体７やランナー台１２の量産効果によってランナーユニットの製造コストを削減できる。さらに、既存のランナー本体７やランナー台１２を利用して、単機能型と多機能型のランナーユニットを構成する場合には、既存の成形金型やプレス金型、あるいは既存の製造設備などをそのまま利用して構成部品を形成でき、新たな設備投資する必要もなく、ランナーユニットをさらに低コストで製造できる。また、調整ハウジング１０の下部に調整ブロック１１を配置して、両者１０・１１の間に調整ハウジング１０を前後揺動操作する前後調整機構を設けるので、前記両者１０・１１をホルダー９に対して無駄のない状態で配置して、戸側ユニット（ホルダー９、調整ハウジング１０、調整ブロック１１など）をよりコンパクト化できる。
【００４８】
図９および図１０は前後調整機構の別の実施例を示す、そこでは、前後調整ボルト７０と、同ボルト７０で左右操作されるカムブロック９５と、ホルダー９で前後スライドのみ可能に支持される調整ハウジング１０などで前後調整機構を構成する。カムブロック９５の上面の複数箇所にはカムピン９６が形成してあり、このカムピン９６と係合する斜めのカム溝９７が調整ハウジング１０の下壁３１に設けてある。カムブロック９５の下面側には、板ナット７１が配置してある。前後調整ボルト７０は、ホルダー９と一体に形成した調整座９８で回転のみ可能に支持してあり、したがって前後調整ボルト７０を回転操作すると、板ナット７１およびカムブロック９５が左右いずれかへ変位する。この左右変位をカムピン９６とカム溝９７とで前後変位に変換して、調整ハウジング１０の前後位置を調整変更できる。この実施例においては、調整ブロック１１を省略することができる。
【００４９】
上記の実施例から理解できるように、本発明における前後調整機構は、調整ハウジング１０を揺動操作してその前後位置を変更する必要はなく、前後にスライド変位させて前後位置を変更するものであってもよい。さらに、調整ハウジング１０をねじ軸で前後方向へ調整操作するようにしたうえで、前後調整体７０の回転動作を直交する一対の歯車で先のねじ軸に伝えるなど、前後調整機構の動作変換構造は種々に変更できる。その場合の前後調整体７０はねじ軸を備えている必要はない。
【００５０】
上記の実施例では、単機能型と多機能型のランナーユニットにおいて、主要構造体であるランナー台１２を共通使用する場合について説明したが、本発明に係る多機能型のランナーユニットは、それ自体を単独で使用する形態を採ることができる。その場合には、ランナー台に高さ調整機構と前後調整機構をまとめて組み込む場合に比べて、ランナー台１２の構造を著しく簡素化して、多機能型のランナーユニットにおけるランナー台１２のコンパクト化を実現できる。
【００５１】
また、主要構造体であるランナー台１２を共通使用する場合には、調整機能を備えていない無機能型と多機能型のランナーユニットにおいて、主要構造体であるランナー台１２を共通使用することができる。その場合には、無機能型ランナーユニットのホルダーに設けられる装着部と、多機能型のランナーユニットの調整ハウジング１０に設けられる装着部３３とを共通の構造に形成する。以てランナー台１２を、無機能型のランナーユニットのホルダーと、多機能型のランナーユニットの調整ハウジング１０とに共通して装着できるようにする。
【００５２】
無機能型および単機能型のランナーユニットと多機能型のランナーユニットは、折戸と引戸で使い分けする必要はない。例えば１枚の戸パネル３で構成される引戸に単機能型のランナーユニットを適用し、複数枚の戸パネル３で構成される引戸に多機能型のランナーユニットを適用することができる。
【００５３】
ランナー本体７とランナー台１２とは、ランナー軸１３を介して相対回転可能に連結するのが好ましいが、必要があれば角軸や板状の連結体を介して連結することができる。例えば、上記のように１枚の戸パネル３で構成される引戸と、複数枚の戸パネル３で構成される引戸とに、単機能型のランナーユニットと多機能型のランナーユニットを使い分ける場合には、ランナー本体７とランナー台１２とを相対回転させる必要がないので、角軸や板状の連結体であってもよいことになる。
【００５４】
戸パネル３の上下位置を調整する高さ調整機構は、ランナー本体７に組むことができる。その場合には、高さ調整機構でランナー軸１３を上下に変位操作して、戸パネル３の上下位置を調整できる。また、ランナー本体７に高さ調整機構を設けることにより、ランナー台１２の構造を簡素化して、ホルダー９・８０や調整ハウジング１０などの小形化を実現できる。本発明のランナーユニットは、とくに吊車型のランナーユニットに好適に適用できるが、戸車型のランナーユニットにおいても同様に適用することができる。
【００５５】
操作体７２は金属部品として形成することができ、その場合には軸部７３に前後調整ボルト７０と噛み合うねじ穴を形成して、操作体７２が雌ねじ体７１を兼ねることができる。また、操作体７２を省略して、板ナット７２を介して調整ハウジング１０を前後に揺動操作することができる。ピン３４は、調整ハウジング１０と別体に形成することができる。
【符号の説明】
【００５６】
１  ガイドレール
３  戸パネル
７  ランナー本体
９  ホルダー
１０  調整ハウジング
１１  調整ブロック
１２  ランナー台
１３  連結体（ランナー軸）
３３  装着部
８０  ホルダー
８４  装着部
【図１】
2010255273.tif 000003
【図２】
2010255273.tif 000004
【図３】
2010255273.tif 000005
【図４】
2010255273.tif 000006
【図５】
2010255273.tif 000007
【図６】
2010255273.tif 000008
【図７】
2010255273.tif 000009
【図８】
2010255273.tif 000010
【図９】
2010255273.tif 000011
【図１０】
2010255273.tif 000012